(57)【要約】      （修正有）【課題】データブロックサイズと、サイクリックプレフィクスとデータブロックとの合計サイズを変えることなくサイクリックプレフィクス長の実質的な拡張を可能とする。【解決手段】データシンボル列を入力する入力部と、複数のデータシンボルからデータブロックを生成するブロック生成部と、前記データブロックの末尾における１つ以上のデータシンボルをサイクリックプレフィクスとして前記データブロックの先端に付加してサイクリックプレフィクス付きデータブロックを得る付加部と、前記サイクリックプレフィクス付きデータブロックの信号を送信する送信部と、を備え、前記ブロック生成部は、前記データブロックにおいて前記サイクリックプレフィクスとして付加するデータシンボルに先行するｋ個（ｋは１以上の整数）のデータシンボルとして、前記データブロックに先行するデータブロックの末尾におけるｋ個のデータシンボルのコピーを用いる。【選択図】図１
2008227585.tif 000002
【特許請求の範囲】
【請求項１】
データシンボル列を入力する入力部と、
複数のデータシンボルからデータブロックを生成するブロック生成部と、
前記データブロックの末尾における１つ以上のデータシンボルをサイクリックプレフィクスとして前記データブロックの先端に付加してサイクリックプレフィクス付きデータブロックを得る付加部と、
前記サイクリックプレフィクス付きデータブロックの信号を送信する送信部と、を備え、
前記ブロック生成部は、前記データブロックにおいて前記サイクリックプレフィクスとして付加するデータシンボルに先行するｋ個（ｋは１以上の整数）のデータシンボルとして、前記データブロックに先行するデータブロックの末尾におけるｋ個のデータシンボルのコピーを用いることを特徴とする送信機。
【請求項２】
データビット列を誤り訂正符号化して符号化データビット列を得る符号化部と、
前記符号化データビット列から符号化ビットを間引くパンクチャ処理を行うパンクチャ部と、
前記パンクチャ処理された符号化データビット列をインターリーブするインターリーブ部と、
インターリーブされた符号化データビット列を変調してデータシンボル列を得る変調部と、をさらに備え、
前記パンクチャ部は、前記コピーするデータシンボルの数が多いほど、前記符号化データビット列から間引く符号化ビット数を多くすることを特徴とする請求項１に記載の送信機。
【請求項３】
前記パンクチャ部は、前記データビット列の誤り訂正符号化において同じ状態遷移の時に得られた複数の符号化ビットのうち一部の符号化ビットを間引き、
前記インターリーブ部は、前記複数の符号化ビットのうち残りの符号化ビットが末尾に位置するように前記符号化データビット列をインターリーブすることを特徴とする請求項２に記載の送信機。
【請求項４】
前記コピーするデータシンボルの数を表すシンボル数情報を受信機から受信するシンボル数情報受信部をさらに備えたことを特徴とする請求項１ないし３のいずれか一項に記載の送信機。
【請求項５】
前記コピーするデータシンボルの数を通信路の状況あるいは送信シンボルレートに応じて変更する変更部をさらに備えたことを特徴とする請求項１ないし３のいずれか一項に記載の送信機。
【請求項６】
データシンボル列を入力する入力部と、
複数のデータシンボルからデータブロックを生成するブロック生成部と、
前記データブロックの先頭における１つ以上のデータシンボルをサイクリックポストフィクスとして前記データブロックの末尾に付加してサイクリックポストフィクス付きデータブロックを得る付加部と、
前記サイクリックポストフィクス付きデータブロックの信号を送信する送信部と、を備え、
前記ブロック生成部は、前記データブロックの末尾におけるｋ（ｋは１以上の整数）個のデータシンボルとして、前記データブロックに先行するデータブロックにおいて前記サイクリックポストフィクスとして用いられるデータシンボルの末尾から先頭方向に向かってｋ個のデータシンボルのコピーを用いることを特徴とする送信機。
【請求項７】
データビット列を誤り訂正符号化して符号化データビット列を得る符号化部と、
前記符号化データビット列から符号化ビットを間引くパンクチャ処理を行うパンクチャ部と、
前記パンクチャ処理された符号化データビット列をインターリーブするインターリーブ部と、
インターリーブされた符号化データビット列を変調してデータシンボル列を得る変調部と、をさらに備え、
前記パンクチャ部は、前記コピーするデータシンボルの数が多いほど、前記符号化データビット列から間引く符号化ビット数を多くすることを特徴とする請求項６に記載の送信機。
【請求項８】
前記パンクチャ部は、前記データビット列の誤り訂正符号化において同じ状態遷移の時に得られた複数の符号化ビットのうち一部の符号化ビットを間引き、
前記インターリーブ部は、前記複数の符号化ビットのうち残りの符号化ビットが、前記データブロックにおいて前記サイクリックポストフィクスとして用いられるデータシンボルの末尾に含まれるように、前記符号化データビット列をインターリーブすることを特徴とする請求項７に記載の送信機。
【請求項９】
前記コピーするデータシンボルの数を表すシンボル数情報を受信機から受信するシンボル数情報受信部をさらに備えたことを特徴とする請求項６ないし８のいずれか一項に記載の送信機。
【請求項１０】
前記コピーするデータシンボルの数を通信路の状況あるいは送信シンボルレートに応じて変更する変更部をさらに備えたことを特徴とする請求項６ないし８のいずれか一項に記載の送信機。
【請求項１１】
データシンボル列を入力する入力部と、
複数のデータシンボルからデータブロックを生成するブロック生成部と、
前記データブロックの末尾における１つ以上のデータシンボルをサイクリックプレフィクスとして前記データブロックの先端に付加してサイクリックプレフィクス付きデータブロックを得る付加部と、
前記サイクリックプレフィクス付きデータブロックの信号を送信する送信部と、を備え、
前記ブロック生成部は、前記データブロックの末尾におけるｋ（ｋは１以上の整数）個のデータシンボルとして、前記データブロックに後続するデータブロックにおいて前記サイクリックプレフィクスとして付加されるデータシンボルに先行するｋ個のデータシンボルのコピーを用いることを特徴とする送信機。
【請求項１２】
データビット列を誤り訂正符号化して符号化データビット列を得る符号化部と、
前記符号化データビット列から符号化ビットを間引くパンクチャ処理を行うパンクチャ部と、
前記パンクチャ処理された符号化データビット列をインターリーブするインターリーブ部と、
インターリーブされた符号化データビット列を変調してデータシンボル列を得る変調部と、をさらに備え、
前記パンクチャ部は、前記コピーするデータシンボルの数が多いほど、前記符号化データビット列から間引く符号化ビット数を多くすることを特徴とする請求項１１に記載の送信機。
【請求項１３】
前記パンクチャ部は、前記データビット列の誤り訂正符号化において同じ状態遷移の時に得られた複数の符号化ビットのうち一部の符号化ビットを間引き、
前記インターリーブ部は、前記複数の符号化ビットのうち残りの符号化ビットが、前記データブロックにおいて前記サイクリックプレフィクスとして付加されるデータシンボルに先行するデータブロックのうち末尾のデータシンボルに含まれるように符号化データビット列をインターリーブすることを特徴とする請求項１３に記載の送信機。
【請求項１４】
前記コピーするデータシンボルの数を指定したシンボル数情報を受信機から受信するシンボル数情報受信部をさらに備えたことを特徴とする請求項１１ないし１３のいずれか一項に記載の送信機。
【請求項１５】
前記コピーするデータシンボルの数を通信路の状況あるいは送信シンボルレートに応じて変更する変更部をさらに備えたことを特徴とする請求項１１ないし１３のいずれか一項に記載の送信機。
【請求項１６】
データシンボル列を入力する入力部と、
複数のデータシンボルからデータブロックを生成するブロック生成部と、
前記データブロックの先頭における１つ以上のデータシンボルをサイクリックポストフィクスとして前記データブロックの末尾に付加してサイクリックポストフィクス付きデータブロックを得る付加部と、
前記サイクリックポストフィクス付きデータブロックの信号を送信する送信部と、を備え、
前記ブロック生成部は、前記データブロックにおいて前記サイクリックポストフィクスとして用いられるデータシンボルの末尾から先頭方向に向かってｋ（ｋは１以上の整数）個のデータシンボルとして、前記データブロックに後続するデータブロックの末尾のｋ個のデータシンボルのコピーを用いることを特徴とする送信機。
【請求項１７】
データビット列を誤り訂正符号化して符号化データビット列を得る符号化部と、
前記符号化データビット列から符号化ビットを間引くパンクチャ処理を行うパンクチャ部と、
前記パンクチャ処理された符号化データビット列をインターリーブするインターリーブ部と、
インターリーブされた符号化データビット列を変調してデータシンボル列を得る変調部と、をさらに備え、
前記パンクチャ部は、前記コピーするデータシンボルの数が多いほど、前記符号化データビット列から間引く符号化ビット数を多くすることを特徴とする請求項１６に記載の送信機。
【請求項１８】
前記パンクチャ部は、前記データビット列の誤り訂正符号化において同じ状態遷移の時に得られた複数の符号化ビットのうち一部の符号化ビットを間引き、
前記インターリーブ部は、前記複数の符号化ビットのうち残りの符号化ビットが、前記データブロックの末尾のデータシンボルに含まれるように前記符号化データビット列をインターリーブすることを特徴とする請求項１７に記載の送信機。
【請求項１９】
前記コピーするデータシンボルの数を表すシンボル数情報を受信機から受信するシンボル数情報受信部をさらに備えたことを特徴とする請求項１５ないし１８のいずれか一項に記載の送信機。
【請求項２０】
前記コピーするデータシンボルの数を通信路の状況あるいは送信シンボルレートに応じて変更する変更部をさらに備えたことを特徴とする請求項１５ないし１８のいずれか一項に記載の送信機。
【請求項２１】
サイクリックプレフィクスまたはサイクリックポストフィクスが付加された、複数のデータシンボルからなるデータブロックの信号を受信する受信部と、
前記サイクリックプレフィクスまたはサイクリックポストフィクスが付加されたデータブロックからサイクリックプレフィクスまたはサイクリックポストフィクスを除去してデータブロックを取り出す除去部と、
前記データブロックを高速フーリエ変換（Fast Fourier Transform: ＦＦＴ）処理して複数の周波数成分の信号に分解するＦＦＴ処理部と、
前記複数の周波数成分の信号に対して等化処理を行う等化処理部と、
等化処理された複数の周波数成分の信号をＩＦＦＴ（Inverse Fast Fourier Transform：逆高速フーリエ変換）処理して、複数の受信データシンボルからなる受信データブロックを得るＩＦＦＴ処理部と、
前記受信データブロックにおいてあらかじめ指定された第１の位置の受信データシンボルと、前記受信データブロックに続くあるいは先行する受信データブロックにおいてあらかじめ指定された第２の位置の受信データシンボルとを合成して、前記第１の受信データシンボルに代えて用いる合成受信データシンボルを得る合成部と、
を備えた受信機。
【請求項２２】
サイクリックプレフィクスまたはサイクリックポストフィクスが付加された、複数のデータシンボルからなるデータブロックの信号を受信する受信部と、
前記サイクリックプレフィクスまたはサイクリックポストフィクスが付加されたデータブロックからサイクリックプレフィクスまたはサイクリックポストフィクスを除去して前記データブロックを取り出す除去部と、
前記データブロックを高速フーリエ変換（Fast Fourier Transform: ＦＦＴ）処理して複数の周波数成分の信号に分解するＦＦＴ処理部と、
前記複数の周波数成分の信号に対して等化処理を行う等化処理部と、
等化処理された複数の周波数成分の信号をＩＦＦＴ処理して、複数の受信データシンボルからなる受信データブロックを得るＩＦＦＴ処理部と、
前記受信データシンボルからビットの尤度を表すビット尤度データを生成するビット尤度生成手段と、
前記受信データブロックにおいてあらかじめ指定された第３の位置の受信データシンボルから生成された第１のビット尤度データと、前記受信データブロックに続くあるいは先行する受信データブロックにおいてあらかじめ指定された第４の位置の受信データシンボルから生成された第２のビット尤度データとを合成して、前記第１のビット尤度データに代えて用いられる第３のビット尤度データを生成する合成部と、
を備えた受信機。
【発明の詳細な説明】
【技術分野】
【０００１】
本発明は、送信機および受信機に関し、例えばサイクリックプレフィクスを用いたシングルキャリア通信を行う送信機および受信機に関する。
【背景技術】
【０００２】
従来のサイクリックプレフィクス(CP: Cyclic Prefix)長の拡張方法では、データブロックサイズを固定して、データブロックの先頭にサイクリックプレフィクスとして付加するシンボル数を増やす方法（従来の第１の拡張方法）や、サイクリックプレフィクスとデータブロックサイズとの合計サイズを固定して、サイクリックプレフィクスのシンボル数を増加させた分、データブロックサイズを縮小する方法（従来の第２の拡張方法）がある。
【特許文献１】特開2006-222956公報
【発明の開示】
【発明が解決しようとする課題】
【０００３】
従来の第１の拡張方法では、サイクリックプレフィクス長（ＣＰ長）の拡張によりサイクリックプレフィクスとデータブロックサイズとの合計サイズが大きくなるため、受信機でのＦＦＴ処理するタイミングが変化するという問題がある。従来の第２の拡張方法では、データブロックサイズが小さくなるため、受信機でのＦＦＴサイズが変わる問題がある。
【０００４】
本発明は、データブロックサイズと、サイクリックプレフィクスとデータブロックとの合計サイズとのいずれのサイズも変えることなくサイクリックプレフィクス長を実質的に拡張することを可能とした送信機、および該送信機と通信する受信機を提供する。
【課題を解決するための手段】
【０００５】
本発明の第１の一態様としての送信機は
データシンボル列を入力する入力部と、
複数のデータシンボルからデータブロックを生成するブロック生成部と、
前記データブロックの末尾における１つ以上のデータシンボルをサイクリックプレフィクスとして前記データブロックの先端に付加してサイクリックプレフィクス付きデータブロックを得る付加部と、
前記サイクリックプレフィクス付きデータブロックの信号を送信する送信部と、を備え、
前記ブロック生成部は、前記データブロックにおいて前記サイクリックプレフィクスとして付加するデータシンボルに先行するｋ個（ｋは１以上の整数）のデータシンボルとして、前記データブロックに先行するデータブロックの末尾におけるｋ個のデータシンボルのコピーを用いることを特徴とする。
【０００６】
本発明の第２の一態様としての送信機は
データシンボル列を入力する入力部と、
複数のデータシンボルからデータブロックを生成するブロック生成部と、
前記データブロックの先頭における１つ以上のデータシンボルをサイクリックポストフィクスとして前記データブロックの末尾に付加してサイクリックポストフィクス付きデータブロックを得る付加部と、
前記サイクリックポストフィクス付きデータブロックの信号を送信する送信部と、を備え、
前記ブロック生成部は、前記データブロックの末尾におけるｋ（ｋは１以上の整数）個のデータシンボルとして、前記データブロックに先行するデータブロックにおいて前記サイクリックポストフィクスとして用いられるデータシンボルの末尾から先頭方向に向かってｋ個のデータシンボルのコピーを用いることを特徴とする。
【０００７】
本発明の第３の一態様としての送信機は
データシンボル列を入力する入力部と、
複数のデータシンボルからデータブロックを生成するブロック生成部と、
前記データブロックの末尾における１つ以上のデータシンボルをサイクリックプレフィクスとして前記データブロックの先端に付加してサイクリックプレフィクス付きデータブロックを得る付加部と、
前記サイクリックプレフィクス付きデータブロックの信号を送信する送信部と、を備え、
前記ブロック生成部は、前記データブロックの末尾におけるｋ（ｋは１以上の整数）個のデータシンボルとして、前記データブロックに後続するデータブロックにおいて前記サイクリックプレフィクスとして付加されるデータシンボルに先行するｋ個のデータシンボルのコピーを用いることを特徴とする。
【０００８】
本発明の第４の一態様としての送信機は
データシンボル列を入力する入力部と、
複数のデータシンボルからデータブロックを生成するブロック生成部と、
前記データブロックの先頭における１つ以上のデータシンボルをサイクリックポストフィクスとして前記データブロックの末尾に付加してサイクリックポストフィクス付きデータブロックを得る付加部と、
前記サイクリックポストフィクス付きデータブロックの信号を送信する送信部と、を備え、
前記ブロック生成部は、前記データブロックにおいて前記サイクリックポストフィクスとして用いられるデータシンボルの末尾から先頭方向に向かってｋ（ｋは１以上の整数）個のデータシンボルとして、前記データブロックに後続するデータブロックの末尾のｋ個のデータシンボルのコピーを用いることを特徴とする。
【０００９】
本発明の第１の一態様としての受信機は
サイクリックプレフィクスまたはサイクリックポストフィクスが付加された、複数のデータシンボルからなるデータブロックの信号を受信する受信部と、
前記サイクリックプレフィクスまたはサイクリックポストフィクスが付加されたデータブロックからサイクリックプレフィクスまたはサイクリックポストフィクスを除去してデータブロックを取り出す除去部と、
前記データブロックを高速フーリエ変換（Fast Fourier Transform: ＦＦＴ）処理して複数の周波数成分の信号に分解するＦＦＴ処理部と、
前記複数の周波数成分の信号に対して等化処理を行う等化処理部と、
等化処理された複数の周波数成分の信号をＩＦＦＴ（Inverse Fast Fourier Transform：逆高速フーリエ変換）処理して、複数の受信データシンボルからなる受信データブロックを得るＩＦＦＴ処理部と、
前記受信データブロックにおいてあらかじめ指定された第１の位置の受信データシンボルと、前記受信データブロックに続くあるいは先行する受信データブロックにおいてあらかじめ指定された第２の位置の受信データシンボルとを合成して、前記第１の受信データシンボルに代えて用いる合成受信データシンボルを得る合成部と、
を備える。
【００１０】
本発明の第２の一態様としての受信機は
サイクリックプレフィクスまたはサイクリックポストフィクスが付加された、複数のデータシンボルからなるデータブロックの信号を受信する受信部と、
前記サイクリックプレフィクスまたはサイクリックポストフィクスが付加されたデータブロックからサイクリックプレフィクスまたはサイクリックポストフィクスを除去して前記データブロックを取り出す除去部と、
前記データブロックを高速フーリエ変換（Fast Fourier Transform: ＦＦＴ）処理して複数の周波数成分の信号に分解するＦＦＴ処理部と、
前記複数の周波数成分の信号に対して等化処理を行う等化処理部と、
等化処理された複数の周波数成分の信号をＩＦＦＴ処理して、複数の受信データシンボルからなる受信データブロックを得るＩＦＦＴ処理部と、
前記受信データシンボルからビットの尤度を表すビット尤度データを生成するビット尤度生成手段と、
前記受信データブロックにおいてあらかじめ指定された第３の位置の受信データシンボルから生成された第１のビット尤度データと、前記受信データブロックに続くあるいは先行する受信データブロックにおいてあらかじめ指定された第４の位置の受信データシンボルから生成された第２のビット尤度データとを合成して、前記第１のビット尤度データに代えて用いられる第３のビット尤度データを生成する合成部と、
を備える。
【発明の効果】
【００１１】
本発明により、データブロックサイズと、サイクリックプレフィクスとデータブロックとの合計サイズとのいずれのサイズも変えることなくサイクリックプレフィクス長を実質的に拡張できる。
【発明を実施するための最良の形態】
【００１２】
図１７は、サイクリックプレフィクス（CP: Cyclic Prefix）の長さが固定の場合の従来におけるシングルキャリア送信機の構成例を示す。
【００１３】
送信データとなるデータビット列が変調部１０１においてＱＰＳＫ変調またはＱＡＭ変調といったデータ変調が施されることによりデータシンボル列に変換される。
【００１４】
ブロック生成部１０２では、データ変調部１０１から出力された複数のデータシンボルから１つのデータブロックを生成して出力する。８データシンボルから１データブロックが生成される例を図１８（ａ）に示す。データブロックＡは、８つのデータシンボルa１、a２、a３、a４、a５、a６、a７、a８から構成され、データブロックＢは、８つのデータシンボルb１、b２、b３、b４、b５、b６、b７、b８から構成される。これら２つのデータブロックＡ、Ｂがこの順番でブロック生成部１０２から出力される。ここでデータブロックに含まれるデータシンボル数をデータブロックサイズと定義し、データブロックの時間長をデータブロック長と定義する。たとえばデータブロックＡのデータブロックサイズは８である。
【００１５】
ＣＰ付加部１０３では、ブロック生成部１０２から入力されるデータブロックに対して、データブロック内の末尾の１つ以上のデータシンボルを、データブロックの先頭にサイクリックプレフィクスとして付加する。データブロックＡ、Ｂにサイクリックプレフィクスを付加する様子を図１８（ｂ）に示す。たとえばデータブロックＡに対しては、データブロックＡの末尾の２シンボル（a７、a８）がコピーされ、データブロックＡの先頭にサイクリックプレフィクスとして付加される。ここでサイクリックプレフィクスに含まれるデータシンボル数をＣＰサイズと定義し、サイクリックプレフィクスの時間長をＣＰ長と定義する。たとえば図１８（ｂ）の例では、ＣＰサイズは２である。
【００１６】
サイクリックプレフィクスを付加されたデータブロックは、Ｄ／Ａ変換部１０４によりアナログ信号に変換され、ＩＦ(Intermediate Frequency)／ＲＦ(Radio Frequency)送信部１０５を経てアンテナ１０６から送信される。
【００１７】
図１９は、背景技術の欄で述べた従来の第１および第２の拡張方法によりサイクリックプレフィクス長（ＣＰ長）を拡張する場合の従来のシングルキャリア送信機の構成例を示す。図１７に示したＣＰ長が固定の場合の従来の送信機との違いは、制御部１０７により、ブロック生成部１０２から出力されるデータブロックサイズと、ＣＰ付加部１０３で付加されるＣＰサイズとを変化させることができる点にある。図中、図１７と同一の名称の要素には同一の符号を付してある。
【００１８】
図２０（ａ）および図２０（ｂ）は、上記従来の第１の拡張方法を用いてＣＰサイズを２から３に拡張した場合の、ブロック生成部１０２の出力と、ＣＰ付加部１０３の出力とを示す。
【００１９】
データブロックサイズは８のままで、ＣＰサイズが２から３に拡張されている。このため、ＣＰサイズとデータブロックサイズとを合わせた合計サイズが、ＣＰサイズを拡張する前と比べて大きくなってしまっている。これにより、受信機において、連続するデータブロックを復調するためのＦＦＴのタイミングが、ＣＰサイズを拡張する前と比べて変化してしまう問題が発生する。
【００２０】
図２１は、上記従来の第２の拡張方法を用いてＣＰサイズを２から３に拡張した場合の、ブロック生成部１０２の出力と、ＣＰ付加部１０３の出力を示す。
【００２１】
データブロックサイズが７に縮小され、ＣＰサイズが２から３に拡張されている。この場合、ＣＰサイズとデータブロックサイズとを合わせた合計サイズは同じままであるが、データブロックサイズが縮小されているため、受信機においてデータブロックを復調するためのＦＦＴのサイズが、ＣＰサイズの拡張前と比べて小さくなる問題が発生する。
【００２２】
よって、従来の第１および第２の拡張方法のいずれを用いてサイクリックプレフィクス長を拡張した場合も、周波数多重されている複数のシングルキャリア信号あるいは、シングルキャリア信号とＯＦＤＭ(Orthogonal Frequency Division Multiplexing)信号、を受信機で一括してＦＦＴ(Fast Fourier Transform：高速フーリエ変換)処理する際に、信号間に干渉が生じることになる。
【００２３】
本発明の実施形態は、データブロックサイズとＣＰサイズとを固定したまま、サイクリックプレフィクス長をデータブロック単位で実質的に変更可能にするものである。これにより、周波数多重されている複数のシングルキャリア信号あるいは、シングルキャリア信号とＯＦＤＭ信号、を受信機で一括してＦＦＴ処理する際に信号間の干渉の発生を防ぎつつ、ＣＰサイズを拡張したのと同様の効果を得ることが可能になる。
【００２４】
以下、図面を参照しながら、本発明の実施形態について詳細に説明する。
【００２５】
図１は、本発明によるシングルキャリア送信機の第１の実施形態を示す。
【００２６】
送信データとなるデータビット列が、変調部１１においてＱＰＳＫ変調またはＱＡＭ変調といったデータ変調が施されることによりデータシンボル列に変換され、ブロック生成部１２に入力される。変調部１１は、データシンボル列をブロック生成部１２に入力する入力部を有している。
【００２７】
ブロック生成部１２では、変調部１１から入力されたデータシンボルと、記憶部１７に保存された過去のデータブロックに含まれる特定のデータシンボルとからデータブロックが生成される。生成されたデータブロックは、記憶部１７とＣＰ付加部１３とに入力される。
【００２８】
記憶部１７は、デーブロック生成部１２から入力されるデータブロックを保存する。
【００２９】
ＣＰ付加部１３では、ブロック生成部１２から入力されたデータブロックの末尾の１つ以上のデータシンボルを、該データブロックの先頭にサイクリックプレフィクスとして付加する。
【００３０】
サイクリックプレフィクスを付加されたデータブロックは、Ｄ／Ａ変換部１４によりアナログ信号に変換され、ＩＦ／ＲＦ送信部１５を経てアンテナ１６から送信される。
【００３１】
以下、ブロック生成部１２の動作について詳しく説明する。
【００３２】
ＣＰ付加部１３によって付加されるＣＰサイズがＮｃシンボルであるとき、あるデータブロック（例えばデータブロックＢ）のＣＰサイズを実質的にＮｅシンボル分拡張したいとする。このとき、ブロック生成部１２は、データブロックＢの末尾から数えてＮｃ＋１番目からＮｃ＋Ｎｅ番目までのＮｅ個のシンボルとして、記憶部１７に保存されているデータブロックＢに先行するデータブロック（例えばデータブロックＡ）の末尾からのＮｅ個のシンボルを使用する。データブロックＢの、それ以外のデータシンボルとしては、通常の通り、変調部１１からの出力のデータシンボルを用いる。このようにして生成されたデータブロックＢが、ブロック生成部１２に続くＣＰ付加部１３において通常通りサイクリックプレフィクスを付加されることにより、一つ前のデータブロック（例えばデータブロックＡ）の末尾が、あたかもデータブロックＢのサイクリックプレフィクスの一部のような役割を果たし、実質的にデータブロックＢに対するＣＰ長が拡張されたことになる。上記のような方法を用いてデータブロックを生成することにより実質的にＣＰ長を拡張（変更）することを、サイクリックプレフィクスを実質的に拡張（実質的に変更）する、あるいは、ＣＰサイズ（ＣＰ長）を実質的に拡張（実質的に変更）すると呼ぶことにする。また、議論を明確にするために、本発明をシンボルレートが一定として説明するので、ＣＰ長を実質的に拡張することと、ＣＰサイズを実質的に拡張することは、同意語として使用される。
【００３３】
図２は、ブロック生成部１２の動作の具体例を説明する図である。データブロックサイズが８（Ｎ＝８）、ＣＰ付加部１３で付加されるＣＰサイズが２（Ｎｃ＝２）の場合において、データブロックＢのＣＰサイズを１データシンボル分だけ実質的に拡張（Ｎｅ＝１）する例を説明する。
【００３４】
図２（ａ）はブロック生成部１２から出力されたデータブロックＡ、Ｂを示す。データブロックＢの末尾から３番目、つまり先頭から６番目のシンボルとして、データブロックＢに先行するデータブロックＡの末尾のデータシンボルa８が用いられている。すなわちデータブロックＢにおいてサイクリックプレフィクスとして付加するデータシンボルｂ７、ｂ８に先行するｋ（ｋは１以上の整数）個のデータシンボルとして、データブロックＢに先行するデータブロックＡの末尾におけるｋ個のデータシンボル（本例では１つのデータシンボルa8）のコピーが用いられる。データブロックＢの６番目以外の７個のデータシンボルｂ１、ｂ２、ｂ３、ｂ４、ｂ５、ｂ７、ｂ８は、変調部１１からの出力がそのまま用いられている。つまり、データブロックＢでは、サイクリックプレフィクスを実質的に拡張した分だけ、新規に送信するデータシンボル数が減少し、その分だけ伝送レートが減少することになる。
【００３５】
サイクリックプレフィクスを拡張したいデータブロックに先行するデータブロックがない場合には、先行するデータブロックのデータシンボルを０と見なして、上述の方法で対象とするデータブロックの一部を０に置き換えても良いが、そのような処理を施さない方が結果として良い特性が得られることもある。その理由としては、先行するデータブロックが存在しない場合には、先行するデータブロックによるブロック間干渉が発生しないからである。同様のことは、後述するサイクリックポストフィクスを拡張する場合にも当てはまる。
【００３６】
図２（ｂ）は、ＣＰ付加部１３の出力を示す。データブロックＡの末尾の２つのデータシンボルa7,a8がデータブロックＡの先頭にサイクリックプレフィクスとして付加され、データブロックＢの末尾の２つのデータシンボルb7,b8がデータブロックＢの先頭にサイクリックプレフィクスとして付加される。データブロックＢの末尾の３つのデータシンボルa８、ｂ７、ｂ８と、データブロックＢに先行する３つのデータシンボルとを見比べると、両者が同じであることが判る。これは、データブロックＢのサイクリックプレフィクス長が３データシンボルに実質的に拡張されたことを意味する。つまり、３データシンボル長までのマルチパスに対して、受信機におけるＦＦＴ処理部の出力では、データブロック間干渉またはサブキャリア間干渉の発生が阻止される。ここで、データブロックサイズおよびＣＰ付加部１３で付加されるＣＰサイズは、前述した従来の第１および第２の拡張方法とは異なり変化していないことに注目される。これは、データブロックＢに先行する３つのデータシンボルの中で、a８はデータブロックＢではなく、実際にはデータブロックＡに属しているからである。データシンボルa８は、サイクリックプレフィクスを除いて２つの連続するデータブロック（データブロックＡとデータブロックＢ）で送信されることになる。より一般的には、Ｎｅシンボル分だけＣＰサイズを実質的に拡張する場合には、拡張サイズＮｅがＣＰサイズＮｃ以下（Ｎｅ≦Ｎｃ）の場合には、各データブロックの末尾のＮｅ個のデータシンボルが、連続する２つのデータブロックで送信されることになる。
【００３７】
図３は、拡張サイズＮｅ＞ＣＰサイズＮｃの場合のブロック生成部１２の動作例を説明する図である。ＣＰ付加部１３で付加されるＣＰサイズが２（Ｎｃ＝２）で、データブロックＢとデータブロックＣとに対して３シンボル（Ｎｅ＝３）分、ＣＰサイズを実質的に拡張する例を説明する。
【００３８】
図３（ａ）はブロック生成部１２から出力されたデータブロックＡ、Ｂ、Ｃを示す。データブロックＡにおけるデータシンボルa６、a７は、２つのデータブロックＡ、Ｂで計２回送信され、データシンボルa８に関しては、３つのデータブロックＡ、Ｂ、Ｃで計３回送信される。
【００３９】
図３（ｂ）はＣＰ付加部１３の出力を示す。実質的にＣＰサイズが２シンボルから５シンボルに拡張されていることが判る。より一般的には、データブロックサイズをＮ、ＣＰサイズをＮｃ、ＣＰを実質的に拡張するサイズ（拡張サイズ）をＮｅとすると、あるデータブロックのｎ番目（ｎは１以上Ｎ以下の整数）のデータシンボルは、ＣＰ付加部１３により付加されるサイクリックプレフィクスを除いて、ＩＮＴ（(ｎ−Ｎ＋Ｎｅ)／Ｎｃ）＋１個の連続するデータブロックで送信されることになる。ただし、ＩＮＴ（ｘ）は、実数ｘの整数部分を表す。
【００４０】
図２および図３の例では、データブロックに対して、データブロックの先頭にサイクリックプレフィクスを付加することで、データブロックを周期的に長くしたが、データブロックの末尾にサイクリックポストフィクス（Cyclic Postfix）（以下ＣＳと略す）を付加する場合も本発明の考えを適用できることは明らかである。これについて説明するに先立ち、従来の送信機においてサイクリックポストフィクスを付加する例を以下に示す。
【００４１】
従来の送信機（図１７参照）において、図１８（ａ）のデータブロックにシンボル数２のサイクリックポストフィクス（ＣＳサイズが２のサイクリックポストフィクス）を付加する例を図４（ａ）に示す。データブロックＡの先頭の２シンボルa1,a2がコピーされて末尾にサイクリックポストフィクスとして付加されている。同様に、データブロックＢの先頭の２シンボb1,b2がコピーされて末尾にサイクリックポストフィクスとして付加されている。上述した従来の第１および第２の拡張方法と同様の考え方を用いて、サイクリックポストフィクス長を大きくしようとすると、サイクリックプレフィクス長を大きくするのと同様の問題が発生することとなる。
【００４２】
以下、図４（ｂ）および図４（ｃ）を用いて、図１の送信機におけるＣＰ付加部１３でサイクリックプレフィクスでなくサイクリックポストフィクスを付加する場合において、ＣＳサイズを実質的に拡張するブロック生成部１２の動作について説明する。
【００４３】
ＣＰ付加部１３によって付加されるＣＳサイズがＮｃシンボルであるとき、あるデータブロック（例えばデータブロックＢ）のＣＳサイズを実質的にＮｅシンボル分拡張するためには、データブロックＢの末尾から数えて１番目からＮｅ番目までの連続するＮｅ個のシンボルとして、記憶部１７に保存されているデータブロックＢに先行するデータブロック（例えばデータブロックＡ）のＮｃ番目のシンボルから先頭側へＮｃ−Ｎｅ＋１番目のシンボルまでの連続するＮｅシンボルを用いる。すなわち、データブロックＢの末尾におけるｋ個のデータシンボルとして、データブロックＢに先行するデータブロックＡにおいてサイクリックポストフィクスとして用いられるデータシンボルの末尾（本例ではデータシンボルa2）から先頭方向に向かうｋ個のデータシンボル（本例では１つのデータシンボルa2）のコピーを用いる。Ｎｃ＝２、Ｎｅ＝１の場合の例を図４（ｂ）に示す。ただし、Ｎｃ−Ｎｅ＋１が０以下の場合には、データブロックＡの１番目のシンボルの一つ前が、データブロックＡの末尾のシンボルに繋がっているとして扱う。データブロックＢの、それ以外のデータシンボルは、通常の通り、変調部１２からの出力のデータシンボルがそのまま用いられる
ブロック生成部１２においてこのようにして生成されたデータブロックに対し、ＣＰ付加部１３においてサイクリックポストフィクスが付加されることにより、図４（ｃ）に示すように、あるデータブロック（例えばデータブロックＢ）の一つ前のデータブロック（例えばデータブロックＡ）のサイクリックポストフィクス（ＣＳ）の末尾のシンボルa2が、データブロックＢの一部のようにみなすことができ、ＣＳ長が実質的に拡張されたことになる。
【００４４】
このように、サイクリックプレフィクスの付加と、サイクリックポストフィクス（ＣＳ）の付加は、共にデータブロックを周期的な構造で長くする処理であるので、データの並び順を変えたとみなせば等価であることは明らかである。従って、以下の説明では、特に断りのない限り、サイクリックプレフィクスを例として用いるが、本発明がサイクリックポストフィクスの場合にも適用できることは明白である。
【００４５】
図５は、本発明によるシングルキャリア送信機の第２の実施形態を示す。
【００４６】
第１の実施形態では、ＣＰサイズを実質的に拡張したいデータブロックの特定位置のデータシンボルとして、先行するデータブロックのデータシンボルを用いた。第２の実施形態では、ＣＰサイズを実質的に拡張したいデータブロックに先行するデータブロックの特定位置のデータシンボルとして、ＣＰサイズを実質的に拡張したいデータブロックのデータシンボルを用いる。第２の実施形態は、ＣＰサイズを実質的に拡張したいデータブロックが、パイロットシンボルのような固定値のデータシンボルを含む場合に用いて好適である。図１に示した第１の実施形態との違いは、記憶部１７がなく、代わりにパイロットデータを生成するパイロットデータ生成部１９が、ブロック生成部１８の入力側に設けられている点である。ＣＰ付加部１３以降の各要素の動作は、第１の実施形態と同じであるため、それらの説明は省略し、以下、ブロック生成部１８の動作について説明する。
【００４７】
ＣＰ付加部１３によって付加されるＣＰサイズがＮｃシンボルである場合に、複数のパイロットシンボルから構成されるあるデータブロック（例えばデータブロックＢ）のＣＰサイズを実質的にＮｅシンボル分拡張したいとする。このとき、データブロックＢの末尾から数えてＮｃ＋１番目からＮｃ＋Ｎｅ番目までのＮｅ個のパイロットシンボルを、データブロックＢに先行するデータブロック（例えばデータブロックＡ）の末尾からのＮｅシンボルとして用いる。第１の実施形態では、ＣＰサイズを拡張したいデータブロックそのものを操作していたが、第２の実施形態では、ＣＰサイズを拡張したいデータブロックに先行するデータブロックに対する操作が必要になる点に注意する。
【００４８】
データブロックサイズが８（Ｎ＝８）、ＣＰ付加部で付加されるＣＰサイズが２（Ｎｃ＝２）の場合において、パイロットシンボルから構成されるデータブロックＢのＣＰサイズを１シンボル分だけ実質的に拡張（Ｎｅ＝１）する場合のブロック生成部１８の動作例を図６を用いて説明する。
【００４９】
図６（ａ）はブロック生成部１８から出力されたデータブロックＡ、Ｂを示す。データブロックＢの６番目のパイロットシンボルｂ６を、データブロックＢに先行するデータブロックＡの末尾のシンボルとして用いている。つまり、データブロックＡの末尾におけるｋ個（本例では１（＝Ｎｅ））のデータシンボルとして、データブロックＡに後続するデータブロックＢにおいてサイクリックプレフィクスとして付加されるデータシンボルｂ７、ｂ８に先行するｋ個（本例では１（＝Ｎｅ））のデータシンボルのコピーを用いる。
【００５０】
このようなブロック生成部１８での処理が行われると、ＣＰ付加部１３の出力では、図６（ｂ）に示すように、データブロックＢの末尾の３データシンボルｂ６、ｂ７、ｂ８と、データブロックＢに先行する３つのデータシンボルが同じになる。つまり、データブロックＢのサイクリックプレフィクス長が３データシンボルに実質的に拡張されたのと等価の効果が得られる。
【００５１】
以上では、データブロックの先頭にサイクリックプレフィクスを付加する場合におけるブロック生成部１８の動作を説明したが、以下、データブロックの末尾にサイクリックポストフィクスを付加する場合におけるブロック生成部１８の動作について説明する。データブロックサイズが８（Ｎ＝８）、ＣＰ付加部で付加されるＣＳサイズが２（Ｎｃ＝２）の場合に、パイロットシンボルから構成されるデータブロックＢのＣＳサイズを１シンボル分だけ実質的に拡張（Ｎｅ＝１）する例を示す。
【００５２】
図７（ａ）はブロック生成部１８から出力されたデータブロックＡ、Ｂを示す。データブロックＢの８番目のパイロットシンボルｂ８を、データブロックＢに先行するデータブロックＡの２番目のシンボルとして用いている。つまり、データブロックＡにおいてサイクリックポストフィクスとして用いられるデータシンボルの末尾（２番目のシンボル）から先頭方向に向かってｋ個（本例では１（＝Ｎｅ））のデータシンボルとして、データブロックＡに後続するデータブロックＢの末尾のｋ個（本例では１（＝Ｎｅ））のデータシンボルｂ８のコピーを用いる。Ｎｃ−Ｎｅ＋１が０以下の場合には、データブロックＡの１番目のシンボルの一つ前が、データブロックＡの末尾のシンボルに繋がっているとして扱うものとする。
【００５３】
このようなブロック生成部１８での処理が行われると、ＣＰ付加部１３の出力では、図７（ｂ）に示すように、サイクリックポストフィクス付きデータブロックＢの末尾の３データシンボルｂ８、ｂ１、ｂ２と、データブロックＢのデータシンボルｂ３に先行する３つのデータシンボルとが同じになる。つまり、データブロックＢがあたかもデータブロックＡのサイクリックポストフィクス（ＣＳ）の末尾シンボルb8からb7までの8シンボルで構成されていると見なすことで、データブロックＢのサイクリックポストフィクス長（ＣＳ長）が実質的に３データシンボルに拡張されたのと等価の効果が得られる。
【００５４】
図８は、本発明によるシングルキャリア送信機の第３の実施形態を示す。
【００５５】
第３の実施形態は、第１の実施形態と第２の実施形態とを組み合わせたものである。第３の実施形態のブロック生成部２０では、変調部１１から出力されるデータシンボルに加えて、記憶部１７に保存されている過去に生成されたデータブロック内のデータシンボルと、そのデータブロックに後続するデータブロック内のパイロットシンボルとを用いて、データブロックを生成する。以下、ブロック生成部２０の動作例を説明する。
【００５６】
連続する３つのデータブロック（データブロックＡ、データブロックＢ、データブロックＣ）がありこれらの中でデータブロックＣがパイロットシンボルから構成される場合に、データブロックＢとデータブロックＣとのＣＰサイズをそれぞれ１シンボル分だけ実質的に拡張（Ｎｅ＝１）したいとする。このときブロック生成部２０により生成される各データブロックを図９に示す。
【００５７】
データブロックＢに着目すると、後続のデータブロックＣがパイロットシンボルから構成されるので、まずデータブロックＣのＣＰサイズを実質的に拡張するために、データブロックＣの６番目のパイロットシンボルｃ６を、データブロックＢの末尾のシンボルとして用いる。次に、データブロックＢのＣＰサイズを実質的に拡張するために、データブロックＡの末尾のデータシンボルa８を、データブロックＢの６番目のシンボルとして用いる。このように、まず後続のデータブロックがパイロットシンボルから構成される場合は、まず、後続のデータブロックのＣＰサイズを実質的に拡張する処理を行った上で、対象となるデータブロックのＣＰサイズを実質的に拡張する処理を行うと良い。ここで、本発明に係わるシングルキャリア送信機では、データブロック毎に異なるサイズのサイクリックプレフィクスの実質的な拡張を施すことが可能であることは明白であり、したがって、より高い受信品質が要求されるパイロットシンボルから構成されるデータブロックに対しては、他のデータブロックよりも大きくＣＰの拡張を行うといったこともできる。
【００５８】
図１０は、本発明によるシングルキャリア送信機の第４の実施形態を示す。変調部１１以降の各要素は図１と同じであるためこれらの要素の詳細な説明を省略する。図１０のインターリーブ部２３までの各要素と、第２の実施形態あるいは、第３の実施形態の変調部以降の各要素とを組み合わせることも可能である。
【００５９】
第４の実施形態では、ブロック生成部１２においてＣＰサイズを実質的に拡張することで減少するデータレートを補償するために、変調部１１に入力される符号化ビットをパンクチャ部２２においてパンクチャする（間引く）点に特徴がある。本例では、パンクチャ処理によりデータレートを調整しているが、それ以外にも、符号化部２１の符号化率そのものを変化させる方法や、変調部１１の変調多値数を変化させる方法などを用いてもよい。
【００６０】
以下、符号化部２１、パンクチャ部２２、インターリーブ部２３の動作について説明する。
【００６１】
送信データとなるデータビット列は、符号化部２１において誤り訂正符号化処理が施されることにより、冗長度が付加された符号化ビット列とされる。例えば、符号化率１／２の場合には、１データビットの入力に対して、２符号化ビットが出力される。
【００６２】
パンクチャ部２２では、連続する複数の符号化ビットから、一定数の符号化ビットを間引く（除去する）処理を行う。パンクチャ部２２において間引く符号化ビット数は、ブロック生成部１２においてＣＰサイズを実質的に拡張する大きさに依存する。具体的には、同じデータシンボルを連続するデータブロックで送信することに起因して減少した送信データシンボル数、あるいはパイロットシンボルからなるデータブロックを送信することに起因して減少した送信データシンボル数、に相当する分の符号化ビットをパンクチャする。例えば、データブロックサイズがＮ、拡張するＣＰサイズがＮｅである場合には、パンクチャ部２２においてＮ個の符号化ビットの中から、Ｎｅ個を平均して間引くことになる。つまり、他のデータブロックからコピーするデータシンボルの数が多いほど、データブロックに対応する符号化データビット列から間引く符号化ビット数を多くする。
【００６３】
パンクチャ部２２から出力された符号化ビット列は、インターリーブ部２３においてインターリーブ処理によって符号化ビットの並び順が変更されて変調部１１へと入力される。インターリーブ部２３で適用されるインターリーブの方法としては、従来から用いられるブロックインターリーブなどの他に、パンクチャ部２２でパンクチャされる符号化ビットの位置と、ブロック生成部１２によってＣＰサイズが実質的に拡張されることに起因して複数のデータブロックによって伝送されることになるデータシンボルの位置とに応じた並び替えも可能である。つまり、パンクチャ部２２で間引かれた符号化ビットと、ＣＰサイズが実質的に拡張されることに起因して複数のデータブロックで送信されることになるデータシンボルに含まれるデータビットとが共に、畳み込み符号化の同じ状態遷移の際に出力された複数の符号化ビットであるような並び替えを行うことも可能である。このような並び替えを行うことで、同じ状態遷移の際に出力された複数のビットのうちパンクチャ部２２によって間引かれた後に残ったビットが複数のデータブロックにおいて送信され、受信機での合成処理（後述）によりパンクチャによる誤り訂正符号の復号特性の劣化を最小限に抑えることが期待できる。
【００６４】
以下、誤り訂正符号化として符号化率１／２の畳み込み符号化を用い、変調部１１において２ビットが１シンボルにマッピングされる変調方式（例えばＱＰＳＫ変調方式）を用いた場合を例にして、ブロック生成部１２までの動作を、図１１を参照して説明する。
【００６５】
符号化部２１に８つのビット（１つのデータブロックに対応するとする）が入力されると、図１１（ａ）に示すように、１６個の符号化ビットｘ１〜ｘ１６が出力される。このとき、連続する各２ビットのペア（ｘ１とｘ２）、（ｘ３とｘ４）、・・・、（ｘ１５とｘ１６）は、畳み込み符号化において同じ状態遷移により出力される複数（ここでは２）の符号化ビットである。これらの符号化ビットからパンクチャ部２２において２つのビットｘ３とｘ１１が除外され、符号化ビット数が１４ビットになったとする（図１１（ｂ））。これは、データブロックサイズが８で、ＣＰサイズを１シンボル実質的に拡張する場合などに相当する。このように、データブロックに対応するデータビット列の誤り訂正符号化において同じ状態遷移の時に得られた複数の符号化ビットのうち一部の符号化ビットをパンクチャ部２２において間引く。
【００６６】
後続のデータブロックのＣＰサイズを１シンボル実質的に拡張するとすれば、データブロックの末尾のデータシンボルが、後続のデータブロックでも送信されることになる。そこで、インターリーブ部２３では、パンクチャ部２２で除外された符号化ビットと同じ状態遷移により出力された符号化ビットであるｘ４とｘ１２の少なくとも一つが、データブロックの最終データシンボルに含まれるように符号化ビットの並び替えを行う（図１１（ｃ）、図１１（ｄ））。つまりインターリーブ部２３は、上記複数の符号化ビットのうち残りの符号化ビットが末尾に位置するように符号化データビット列をインターリーブする。ここでは、符号化ビットｘ４とｘ１２が共に最終データシンボルに含まれるように並び替えが行われている。このような処理を施すことで、符号化ビットｘ４とｘ１２が、後続のデータブロックと併せて２回送信されることになり、畳み込み符号を復調する際のパンクチャによる特性劣化を最小限に抑えることができる。
【００６７】
ただし図４のようにサイクリックポストフィクスを付加する場合は、上記複数の符号化ビットのうち残りの符号化ビットが、データブロックＢにおいてサイクリックポストフィクスとして用いられるデータシンボルの末尾に含まれるように、符号化データビット列をインターリーブする。また、図６のようにしてサイクリックプレフィクスを付加する場合は、上記複数の符号化ビットのうち残りの符号化ビットが、データブロックＡにおいてサイクリックプレフィクスとして付加されるデータシンボルに先行するデータシンボルのうち末尾のデータシンボルに含まれるように符号化データビット列をインターリーブする（データブロックＡに先行するデータブロックに対し図６の手法を適用する場合に有効）。また、図７のようにしてサイクリックポストフィクスを付加する場合は、上記複数の符号化ビットのうち残りの符号化ビットが、データブロックＡの末尾のデータシンボルに含まれるように符号化データビット列をインターリーブする（データブロックＡに先行するデータブロックに対し図７の手法を適用する場合に有効）。ただし、図６の手法および図７の手法においてパイロットシンボルをコピーして複数のデータブロックにおいて送信する場合には、パイロットシンボルは既知データであるので、符号化データビット列を上述のような特定の方法でインターリーブする必要性はない。
【００６８】
図１１に戻り、ブロック生成部１２では、１４個の符号化ビットから生成された７個のデータシンボルb1〜b5、b7、b8と、先行するデータシンボルからコピーされたデータシンボルa8とから、データブロックを生成する（図１１（ｅ））。こうして生成されたデータシンボルはＣＰ付加部１３においてサイクリックプレフィクスが付加された後、Ｄ／Ａ変換部１４およびＩＦ／ＲＦ送信部１５を介してアンテナ１６から送信される。
【００６９】
次に、本発明の一実施形態によるシングルキャリア送信機からの信号を復調するためのシングルキャリア受信機について述べる。本シングルキャリア受信機では、シングルキャリア送信機のブロック生成部によってＣＰサイズが実質的に拡張されたことに起因にして連続する複数のデータブロックにおいて送信されることとなった同じデータシンボルを合成する処理を行うことに特徴がある。
【００７０】
図１２は、本発明によるシングルキャリア受信機の第１の実施形態を示す。
【００７１】
アンテナ３１により受信された信号は、ＩＦ／ＲＦ受信部３２においてベースバンド信号に変換された後に、Ａ／Ｄ変換部３３においてデジタル信号に変換される。
【００７２】
ＣＰ除去部３４では、送信機のＣＰ付加部で付加されたＣＰ長のデジタル信号のサンプル点（サイクリックプレフィクスあるいはサイクリックポストフィクス）を除去する。
【００７３】
ＦＦＴ処理部３５では、送信されたデータブロックに対応する時間長のフーリエ変換処理を行い、受信信号を直交する複数の周波数成分に分解する。
【００７４】
通信路推定部３６は、パイロットシンボルから構成されるデータブロックから得られた複数の周波数成分の信号に基づき各周波数成分の伝送路応答を推定する。
【００７５】
通信路補償部３７では、通信路推定部３６で推定された各周波数成分の伝送路応答の推定値に基づく複素数を、ＦＦＴ処理部３５の出力である複数の周波数成分の信号に対して乗積することにより、通信路で生じた各周波数成分の歪みを補正する（等化処理）。
【００７６】
通信路補償部３７から出力される、等化処理された複数の周波数成分の信号は、ＩＦＦＴ(Inverse Fast Fourier Transform：逆高速フーリエ変換)処理部３８において逆フーリエ変換されることにより、送信されたデータブロックサイズに等しい時間軸の信号に変換される。送信されたデータブロックに対応するＩＦＦＴ処理部３８の出力信号を、受信データブロックと呼ぶことにする。また、送信されたデータブロックにおける各データシンボルに対応する、受信データブロックにおけるサンプル値を受信データシンボルと呼ぶことにする。
【００７７】
次に、受信データブロックにおける各受信データシンボルに対して、同じ送信データシンボルに対応する過去の受信データシンボルが記録部３９に保存されているかどうかを合成部４０において検査し、保存されている場合は対応する受信データシンボル同士を合成部４０において合成処理する。つまり、合成部４０は、あらかじめ指定された受信データブロックにおいてあらかじめ指定された第１の位置の受信データシンボルと、上記あらかじめ指定された受信データブロックに続く（あるいは先行する）受信データブロックにおいてあらかじめ指定された第２の位置の受信データシンボルとを合成して、上記第１の位置の受信データシンボルに代えて用いる合成受信データシンボルを生成する。受信データブロック間での受信データシンボルの対応関係は、たとえば受信機が当該対応関係の情報を報知情報として送信機から取得して合成部４０にあらかじめ設定しているものとする。合成部４０での合成方法としては、等利得合成や、対応する各受信データシンボルのＳＩＮＲ（信号対雑音干渉電力比）に比例したウェイトをこれらの受信データに乗積して合成する最大比合成などの方法が考えられる。
【００７８】
必要に応じて合成処理が施された各受信データシンボルから、復調部４１において送信データシンボルが推定されデータビットが復調される。つまり復調部４１は、上記あらかじめ指定された受信データブロックにおいて上記第１の位置と異なる各位置の受信データシンボルと、上記合成受信データシンボルとを復調する。
【００７９】
以下、図１３を用いて、ＩＦＦＴ処理部３８以降の動作を詳細に説明する。
【００８０】
図１３はＩＦＦＴ処理部３８から連続して出力された受信データブロックＡと受信データブロックＢを示す。これらの受信データブロックＡ、Ｂは、送信機において図２（ａ）に示した連続する２つのデータブロックに対応するものとする。受信データブロックＡの８番目の受信データシンボルＡ８と、受信データブロックＢの６番目の受信データシンボルＡ８’は、同じ送信データシンボル（図２（ａ）のa８）に対応する。記憶部３９では受信データシンボルＡ８を記憶しておき、この受信データシンボルＡ８を受信データシンボルＡ８’と合成部４０において合成する。復調部４１では、受信データシンボルＡ８とＡ８’とを合成した値（合成受信データシンボル）からデータ復調を行う。受信データブロックＡにおけるそれ以外の受信データシンボルＡ１〜Ａ７は、合成部４０では何も行われることなく通過し、復調部４１でデータ復調が行われる。また、受信データブロックＢについては受信データシンボルＢ１〜Ｂ５、Ｂ７、Ｂ８が合成部４０で何も行われることなく通過して復調部４１でデータ復調が行われる。
【００８１】
図１４は、本発明によるシングルキャリア受信機の第２の実施形態を示す。第２の実施形態は、図１０の送信機（第４の実施形態）から送信された信号を復調するためのものである。送信機で施された符号化、パンクチャ処理、インターリーブ処理に対応する受信処理が、図１２に示した受信機に対して追加されている。図１４において、アンテナ３１〜ＩＦＦＴ処理部３８の動作は、図１２の受信機と等しいので説明を省略する。
【００８２】
ＩＦＦＴ処理部３８の出力である受信データブロックに含まれる各受信データシンボルから、ビットメトリック計算部４２において、各受信データシンボルに対応する各ビットの尤度（軟判定ビットデータあるいはビット尤度データ）を計算する。
【００８３】
ビットメトリック計算部４２から出力される各ビット尤度データに対して、同じ送信データビットに対応する、過去のビット尤度データが記録部４３に保存されているかどうかを合成部４４において検査し、保存されている場合には、対応するビット尤度データ同士を合成部４４において合成する。つまり、合成部４４は、あらかじめ指定された受信データブロックにおいあらかじめ指定された第３の位置の受信データシンボルから生成された第１のビット尤度データと、上記あらかじめ指定された受信データブロックに続く（あるいは先行する）受信データブロックにおいてあらかじめ指定された第４の位置の受信データシンボルから生成された第２のビット尤度データとを合成して、上記第１のビット尤度データに代えて用いられる第３のビット尤度データを生成する。受信データブロック間でのビット尤度データの対応関係（あるいは受信データシンボルの対応関係）は、たとえば受信機が当該対応関係の情報を報知情報として送信機から取得して合成部４４にあらかじめ設定しているものとする。
【００８４】
受信データブロックから得られた、必要に応じて合成処理が施された各ビット尤度データは、デインターリーブ部４５において、送信機のインターリーブ部で変更された並び順を元に戻すような、並び順の変更が施される。
【００８５】
デパンクチャ部４６では、送信機のパンクチャ部で除かれた部分のビットメトリックとして０（対数尤度値の場合）が挿入される。
【００８６】
最後に、デパンクチャ部４６において０が挿入されたビット列から、復号部４７において誤り訂正復号処理が行われ、データビットの復号が完了する。
【００８７】
ここで図５または図８で示した送信機（第２または第４の実施形態）から送信された信号のように、一部がパイロットシンボルに置き換わったデータブロックを復調する際には、既知のデータであるデータシンボル（例えば、図６（ａ）のデータブロックＡのデータシンボルｂ６）を無視し、データブロック内のそれ以外のデータシンボルを復調すればよい。パイロットシンボルのみから構成されるデータブロック（例えば、図６（ａ）のデータブロックＢ）は、先に少し述べたように、受信機の通信路推定部３６にて通信路の周波数応答の推定に用いられる。
【００８８】
また、パイロットシンボルから構成されるデータブロックのＣＰサイズを実質的に拡張する際に、図５の送信機（第２の実施形態）の方法ではなく、図１の送信機（第１の実施形態）の方法を用いて、データブロック内のパイロットシンボルの一部を、先行するデータブロックのデータシンボルに置き換えて送信したような場合に、そのデータブロックから通信路を推定するには以下のようにすればよい。まず先行するデータブロックの上記データシンボルを復調し、その復調結果を用いて、データブロック内のデータシンボルを既知データとして扱う。これによりデータブロック内のパイロットシンボルとデータシンボルとがすべて既知データと見なせるので、そのデータブロック全体を用いて通信路推定を行うことができる。
【００８９】
図１５は、本発明によるシングルキャリア送信機の機能（シングルキャリア送信部５１）を具備する端末Ａと、シングルキャリア受信機の機能（シングルキャリア受信部５３）を具備する端末Ｂとから構成される無線通信システムを示す。
【００９０】
端末Ａから端末Ｂへの通信路の状況に応じて、端末Ｂは、端末Ａのシングルキャリア送信部５１におけるＣＰサイズを実質的に拡張（変更）することを指示するＣＰ制御信号をＣＰ制御信号送信部５４から送信する。ここでの、通信路の意味としては、伝播路のマルチパスと、送信部あるいは受信部で適用されるフィルタ（図示せず）の時間応答の両方の影響を含んだものである。端末Ａは、ＣＰ制御信号をＣＰ制御信号受信部（シンボル数情報受信部）５２で受信し、ＣＰ制御信号の指示に従ってＣＰサイズを実質的に拡張し、シングルキャリア送信部５１から端末ＢへＣＰサイズが実質的に拡張された信号を送信する。ＣＰ制御信号はＣＰサイズを実質的に拡張するサイズ（コピーするシンボル数）を含み、シンボル数情報に相当する。ＣＰ制御信号受信部５２はシンボル数情報受信部に相当する。
【００９１】
端末Ｂの指示により端末ＡがＣＰサイズの実質的な拡張を行う代わりに、端末Ａが自発的に通信路の状況に応じてＣＰサイズを実質的に拡張し、その情報を端末Ｂに送信することで、端末Ｂが端末Ａから送信されるデータブロックの実質的な拡張サイズを識別することも可能である。たとえば、端末Ａと端末ＢがＴＤＤ（時分割復信）方式により同一周波数で双方向性通信を行っており、端末Ａが通信路の状況に応じて、ＣＰサイズを自発的に実質的に拡張するといったことが考えられる。この場合、端末Ａは、通信路の状況に応じてＣＰサイズの実質的な変更（コピーするシンボル数の変更）を行う変更部（図示せず）を備えていても良い。
【００９２】
同様に、端末Ａは、送信するシンボルレートに応じて、ＣＰサイズを実質的に拡張（変更）しても良い。これは、送信部あるいは受信部で適用されるフィルタ（図示せず）の形状（ＦＩＲフィルタのタップ係数）が、送信シンボルレートに関わらず同じであるような場合には、送信シンボルレートが低い程、フィルタの時間応答の時間長が長くなることを意味するために、送信するシンボルレートによってフィルタの影響も含んだ通信路の状況が異なることになるからである。このような場合には、上述のようなＣＰ制御信号を用いる方法や、拡張サイズを伝達する方法以外にも、送信シンボルレートに応じて前もって実質的なＣＰサイズを定義しておく方法を用いても良い。
【００９３】
このように本発明の実施形態では、データブロックサイズおよびＣＰ付加部で付加されるＣＰサイズを変更することなく、ＣＰサイズを端末毎に実質的に制御することが可能である。そのため、図１５で示した１対１の無線通信システムだけでなく、基地局と複数の移動端末のように、１対Ｎの無線通信システムにも本発明は適用可能であることは明白である。この場合、シングルキャリア送信部を持つ端末だけでなく、移動端末としてＯＦＤＭ端末を共存させることも可能である。ただし、ＯＦＤＭ端末からの信号と、シングルキャリア端末からの信号のフォーマットの関係は、互いの直交関係を維持するために、図１６に示すようにＣＰ長が等しく、ＯＦＤＭシンボル長とデータブロック長が共に受信機のＦＦＴサイズに等しい必要がある。また、本発明の実施形態では、シングルキャリア送信機について、シンボルレートが一定であるとしたが、ＣＰ長とデータブロック長がそれぞれ等しい関係にあれば、端末毎にシンボルレートが異なるような１対Ｎの無線通信システムにも本発明が適用可能なことは明白である。
【００９４】
以上のように、本発明の実施形態によるシングルキャリア送信機を用いることで、データブロックの長さとＣＰ付加部で付加されるサイクリックプレフィクスの長さとを変更することなく、サイクリックプレフィクス長を実質的に拡張することが可能になる。また、本発明の実施形態によるシングルキャリア受信機を用いることで、本発明の実施形態によるシングルキャリア送信機から複数のデータブロックにおいて送信される同一のデータシンボルを合成することで、サイクリックプレフィクス長（ＣＰ長）を実質的に拡張したことによる損失を最低限に抑えたデータ復調が可能になる。
【００９５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００９６】
【図１】本発明のシングルキャリア送信機の第１の実施形態を示す図。
【図２】図１の送信機におけるブロック生成部の動作例を示す図。
【図３】図１の送信機おけるブロック生成部の他の動作例を示す図。
【図４】図１の送信機においてブロック生成部のさらに他の動作例を示す図。
【図５】本発明のシングルキャリア送信機の第２の実施形態を示す図。
【図６】図５の送信機におけるブロック生成部の動作例を示す図。
【図７】図５の送信機におけるブロック生成部の他の動作例を示す図。
【図８】本発明のシングルキャリア送信機の第３の実施形態を示す図。
【図９】図８の送信機のブロック生成部の動作例を示す図。
【図１０】本発明のシングルキャリア送信機の第４の実施形態を示す図。
【図１１】図１０の送信機の動作例を示す図。
【図１２】本発明のシングルキャリア受信機の第１の実施形態を示す図。
【図１３】図１２の受信機の動作例を示す図。
【図１４】本発明のシングルキャリア受信機の第２の実施形態を示す図。
【図１５】本発明の一実施形態によるシングルキャリア送信機とシングルキャリア受信機から構成される無線通信システムを示す図。
【図１６】本発明の一実施形態によるシングルキャリア送信機からの信号と、ＯＦＤＭ送信機からの信号のフォーマットの構成例を示す図。
【図１７】従来のシングルキャリア送信機の構成例を示す図
【図１８】従来のシングルキャリア送信機のブロック生成部とＣＰ付加部の動作を説明する図
【図１９】従来の第１および第２の拡張方法を実行可能な従来のシングルキャリア送信機の構成例を示す図。
【図２０】従来の第１の拡張方法を実行する場合におけるブロック生成部の出力とＣＰ付加部の出力を示す図。
【図２１】従来の第２の拡張方法を実行する場合におけるブロック生成部の出力とＣＰ付加部の出力を示す図。
【符号の説明】
【００９７】
１１：変調部
１２、１８、２０：ブロック生成部
１３：ＣＰ付加部
１４：Ｄ／Ａ変換部
１５：ＩＦ／ＲＦ送信部
１６：アンテナ
１７：記憶部
１９：パイロットデータ生成部
２１：符号化部
２２：パンクチャ部
２３：インターリーブ部
３１：アンテナ
３２：ＩＦ／ＲＦ受信部
３３：Ａ／Ｄ変換部
３４：ＣＰ除去部
３５：ＦＦＴ処理部
３６：通信路推定部
３７：通信路補償部
３８：ＩＦＦＴ処理部
３９、４３：記憶部
４０、４４：合成部
４１：復調部
４２：ビットメトリック計算部
４５：デインターリーブ部
４６：デパンクチャ部
４７：復号部
５１：シングルキャリア送信部
５２：ＣＰ制御信号受信部（シンボル数情報受信部）
５３：シングルキャリア受信部
５４：ＣＰ制御信号送信部
【図１】
2008227585.tif 000003
【図２】
2008227585.tif 000004
【図３】
2008227585.tif 000005
【図４】
2008227585.tif 000006
【図５】
2008227585.tif 000007
【図６】
2008227585.tif 000008
【図７】
2008227585.tif 000009
【図８】
2008227585.tif 000010
【図９】
2008227585.tif 000011
【図１０】
2008227585.tif 000012
【図１１】
2008227585.tif 000013
【図１２】
2008227585.tif 000014
【図１３】
2008227585.tif 000015
【図１４】
2008227585.tif 000016
【図１５】
2008227585.tif 000017
【図１６】
2008227585.tif 000018
【図１７】
2008227585.tif 000019
【図１８】
2008227585.tif 000020
【図１９】
2008227585.tif 000021
【図２０】
2008227585.tif 000022
【図２１】
2008227585.tif 000023
【手続補正書】
【提出日】平成20年5月23日(2008.5.23)
【手続補正１】
【補正対象書類名】特許請求の範囲
【補正対象項目名】全文
【補正方法】変更
【補正の内容】
【特許請求の範囲】
【請求項１】
データシンボル列を入力する入力部と、
複数のデータシンボルからデータブロックを生成するブロック生成部と、
前記データブロックの末尾におけるｈ個（ｈは１以上の整数）のデータシンボルのコピーをサイクリックプレフィクスとして前記データブロックの先端に付加してサイクリックプレフィクス付きデータブロックを得る付加部と、
前記サイクリックプレフィクス付きデータブロックの信号を送信する送信部と、を備え、
第１の前記データブロックの末尾における前記ｈ個の前記データシンボルに先行するｋ個（ｋは１以上の整数）のデータシンボルは、前記第１のデータブロックに先行する第２のデータブロックの末尾におけるｋ個のデータシンボルのコピーである
ことを特徴とする送信機。
【請求項２】
データビット列を誤り訂正符号化して符号化データビット列を得る符号化部と、
前記符号化データビット列から符号化ビットを間引くパンクチャ処理を行うパンクチャ部と、
前記パンクチャ処理された符号化データビット列をインターリーブするインターリーブ部と、
インターリーブされた符号化データビット列を変調してデータシンボル列を得る変調部と、をさらに備え、
前記パンクチャ部は、前記コピーするデータシンボルの数が多いほど、前記符号化データビット列から間引く符号化ビット数を多くすることを特徴とする請求項１に記載の送信機。
【請求項３】
前記パンクチャ部は、前記データビット列の誤り訂正符号化において同じ状態遷移の時に得られた複数の符号化ビットのうち一部の符号化ビットを間引き、
前記インターリーブ部は、前記複数の符号化ビットのうち間引き後の残りの符号化ビットが前記第２のデータブロックの末尾に位置するように前記符号化データビット列をインターリーブすることを特徴とする請求項２に記載の送信機。
【請求項４】
前記コピーするデータシンボルの数を表すシンボル数情報を受信機から受信するシンボル数情報受信部をさらに備え、
前記シンボル数情報に基づき前記コピーするデータシンボル数ｈを変更することを特徴とする請求項１ないし３のいずれか一項に記載の送信機。
【請求項５】
前記コピーするデータシンボルの数ｋを送信シンボルレートに応じて変更することを特徴とする請求項１ないし３のいずれか一項に記載の送信機。
【請求項６】
データシンボル列を入力する入力部と、
複数のデータシンボルからデータブロックを生成するブロック生成部と、
前記データブロックの先頭におけるｈ個（ｈは１以上の整数）のデータシンボルのコピーをサイクリックポストフィクスとして前記データブロックの末尾に付加してサイクリックポストフィクス付きデータブロックを得る付加部と、
前記サイクリックポストフィクス付きデータブロックの信号を送信する送信部と、を備え、
第１の前記データブロックの末尾におけるｋ（ｋは１以上の整数）個のデータシンボルは、前記第１のデータブロックに先行する第２のデータブロックの先頭における前記ｈ個のデータシンボルの末尾から先頭方向に向かってｋ個のデータシンボルのコピーであることを特徴とする送信機。
【請求項７】
データビット列を誤り訂正符号化して符号化データビット列を得る符号化部と、
前記符号化データビット列から符号化ビットを間引くパンクチャ処理を行うパンクチャ部と、
前記パンクチャ処理された符号化データビット列をインターリーブするインターリーブ部と、
インターリーブされた符号化データビット列を変調してデータシンボル列を得る変調部と、をさらに備え、
前記パンクチャ部は、前記コピーするデータシンボルの数が多いほど、前記符号化データビット列から間引く符号化ビット数を多くすることを特徴とする請求項６に記載の送信機。
【請求項８】
前記パンクチャ部は、前記データビット列の誤り訂正符号化において同じ状態遷移の時に得られた複数の符号化ビットのうち一部の符号化ビットを間引き、
前記インターリーブ部は、前記複数の符号化ビットのうち間引き後の残りの符号化ビットが、前記第２のデータブロックの先頭における前記ｈ個のデータシンボルの末尾に含まれるように、前記符号化データビット列をインターリーブすることを特徴とする請求項７に記載の送信機。
【請求項９】
前記コピーするデータシンボルの数を表すシンボル数情報を受信機から受信するシンボル数情報受信部をさらに備え、
前記シンボル数情報に基づき前記コピーするデータシンボル数ｈを変更することを特徴とする請求項６ないし８のいずれか一項に記載の送信機。
【請求項１０】
前記コピーするデータシンボルの数ｋを通信路の状況あるいは送信シンボルレートに応じて変更することを特徴とする請求項６ないし８のいずれか一項に記載の送信機。
【請求項１１】
データシンボル列を入力する入力部と、
複数のデータシンボルからデータブロックを生成するブロック生成部と、
前記データブロックの末尾におけるｈ（ｈは１以上の整数）個のデータシンボルのコピーをサイクリックプレフィクスとして前記データブロックの先端に付加してサイクリックプレフィクス付きデータブロックを得る付加部と、
前記サイクリックプレフィクス付きデータブロックの信号を送信する送信部と、を備え、
第１の前記データブロックの末尾におけるｋ（ｋは１以上の整数）個のデータシンボルは、第１の前記データブロックに後続する第３のデータブロックの末尾における前記ｈ個のデータシンボルに先行するｋ個のデータシンボルのコピーであることを特徴とする送信機。
【請求項１２】
データビット列を誤り訂正符号化して符号化データビット列を得る符号化部と、
前記符号化データビット列から符号化ビットを間引くパンクチャ処理を行うパンクチャ部と、
前記パンクチャ処理された符号化データビット列をインターリーブするインターリーブ部と、
インターリーブされた符号化データビット列を変調してデータシンボル列を得る変調部と、をさらに備え、
前記パンクチャ部は、前記コピーするデータシンボルの数が多いほど、前記符号化データビット列から間引く符号化ビット数を多くすることを特徴とする請求項１１に記載の送信機。
【請求項１３】
前記パンクチャ部は、前記データビット列の誤り訂正符号化において同じ状態遷移の時に得られた複数の符号化ビットのうち一部の符号化ビットを間引き、
前記インターリーブ部は、前記複数の符号化ビットのうち間引き後の残りの符号化ビットが、前記第３のデータブロックの末尾における前記ｈ個のデータシンボルに先行するデータシンボルうち末尾のデータシンボルに含まれるように符号化データビット列をインターリーブすることを特徴とする請求項１３に記載の送信機。
【請求項１４】
前記コピーするデータシンボルの数を指定したシンボル数情報を受信機から受信するシンボル数情報受信部をさらに備え、
前記シンボル数情報に基づき前記コピーするデータシンボル数ｈを変更することを特徴とする請求項１１ないし１３のいずれか一項に記載の送信機。
【請求項１５】
前記コピーするデータシンボルの数ｋを送信シンボルレートに応じて変更することを特徴とする請求項１１ないし１３のいずれか一項に記載の送信機。
【請求項１６】
データシンボル列を入力する入力部と、
複数のデータシンボルからデータブロックを生成するブロック生成部と、
前記データブロックの先頭におけるｈ（ｈは１以上の整数）のデータシンボルのコピーをサイクリックポストフィクスとして前記データブロックの末尾に付加してサイクリックポストフィクス付きデータブロックを得る付加部と、
前記サイクリックポストフィクス付きデータブロックの信号を送信する送信部と、を備え、
第１の前記データブロックの先頭における前記ｈ個のデータシンボルの末尾から先頭方向に向かってｋ（ｋは１以上の整数）個のデータシンボルは、前記第１のデータブロックに後続する第３のデータブロックの末尾のｋ個のデータシンボルのコピーであることを特徴とする送信機。
【請求項１７】
データビット列を誤り訂正符号化して符号化データビット列を得る符号化部と、
前記符号化データビット列から符号化ビットを間引くパンクチャ処理を行うパンクチャ部と、
前記パンクチャ処理された符号化データビット列をインターリーブするインターリーブ部と、
インターリーブされた符号化データビット列を変調してデータシンボル列を得る変調部と、をさらに備え、
前記パンクチャ部は、前記コピーするデータシンボルの数が多いほど、前記符号化データビット列から間引く符号化ビット数を多くすることを特徴とする請求項１６に記載の送信機。
【請求項１８】
前記パンクチャ部は、前記データビット列の誤り訂正符号化において同じ状態遷移の時に得られた複数の符号化ビットのうち一部の符号化ビットを間引き、
前記インターリーブ部は、前記複数の符号化ビットのうち間引き後の残りの符号化ビットが、前記第３のデータブロックの末尾のデータシンボルに含まれるように前記符号化データビット列をインターリーブすることを特徴とする請求項１７に記載の送信機。
【請求項１９】
前記コピーするデータシンボルの数を表すシンボル数情報を受信機から受信するシンボル数情報受信部をさらに備え、
前記シンボル数情報に基づき前記コピーするデータシンボル数ｈを変更することを特徴とする請求項１５ないし１８のいずれか一項に記載の送信機。
【請求項２０】
前記コピーするデータシンボルの数ｋを通信路の状況あるいは送信シンボルレートに応じて変更することを特徴とする請求項１５ないし１８のいずれか一項に記載の送信機。
【請求項２１】
データシンボル列を入力する入力部と、
前記データシンボル列を用いて、各々複数のデータシンボルを含む複数のデータブロックを生成し、前記複数のデータブロックの一部は、複数のパイロットシンボルを含むパイロットブロックである、ブロック生成部と、
各前記データブロックの末尾におけるｈ個（ｈは１以上の整数）のデータシンボルのコピーをサイクリックプレフィクスとして前記データブロックの先端に付加して複数のサイクリックプレフィクス付きデータブロックを得る付加部と、
各前記サイクリックプレフィクス付きデータブロックの信号を送信する送信部と、を備え、
第１の前記データブロックの末尾における前記ｈ個の前記データシンボルに先行するｋ個（ｋは１以上の整数）のデータシンボルは、前記第１のデータブロックに先行する第２の前記データブロックの末尾における前記ｋ個のデータシンボルのコピーであり、
前記第１のデータブロックの末尾における前記ｋ個のデータシンボルは、前記第１のデータブロックに後続する前記パイロットブロックの末尾における前記ｈ個のパイロットシンボルに先行する前記ｋ個のパイロットシンボルのコピーである
ことを特徴とする送信機。
【請求項２２】
データビット列を誤り訂正符号化して符号化データビット列を得る符号化部と、
前記符号化データビット列から符号化ビットを間引くパンクチャ処理を行うパンクチャ部と、
前記パンクチャ処理された符号化データビット列をインターリーブするインターリーブ部と、
インターリーブされた符号化データビット列を変調してデータシンボル列を得る変調部と、をさらに備え、
前記パンクチャ部は、前記コピーするデータシンボルの数が多いほど、前記符号化データビット列から間引く符号化ビット数を多くする
ことを特徴とする請求項２１に記載の送信機。
【請求項２３】
前記パンクチャ部は、前記データビット列の誤り訂正符号化において同じ状態遷移の時に得られた複数の符号化ビットのうち一部の符号化ビットを間引き、
前記インターリーブ部は、前記複数の符号化ビットのうち間引き後の残りの符号化ビットが、前記パイロットブロックの末尾における前記ｈ個のパイロットシンボルに先行するパイロットシンボルのうち末尾のパイロットシンボルに含まれるように、または前記第２のデータブロックの末尾のデータシンボルに含まれるように、インターリーブを行う
ことを特徴とする請求項２２に記載の送信機。
【請求項２４】
前記コピーするデータシンボルの数を表すシンボル数情報を受信機から受信するシンボル数情報受信部をさらに備え、
前記シンボル数情報に基づき前記コピーするデータシンボル数ｈを変更する
ことを特徴とする請求項２１ないし２３のいずれか一項に記載の送信機。
【請求項２５】
前記コピーするデータシンボルの数ｋを送信シンボルレートに応じて変更することを特徴とする請求項２１ないし２３のいずれか一項に記載の送信機。
【請求項２６】
サイクリックプレフィクスまたはサイクリックポストフィクスが付加された、複数のデータシンボルからなるデータブロックの信号を受信する受信部と、
前記サイクリックプレフィクスまたはサイクリックポストフィクスが付加されたデータブロックからサイクリックプレフィクスまたはサイクリックポストフィクスを除去してデータブロックを取り出す除去部と、
前記データブロックを高速フーリエ変換（Fast Fourier Transform: ＦＦＴ）処理して複数の周波数成分の信号に分解するＦＦＴ処理部と、
前記複数の周波数成分の信号に対して等化処理を行う等化処理部と、
等化処理された複数の周波数成分の信号をＩＦＦＴ（Inverse Fast Fourier Transform：逆高速フーリエ変換）処理して、複数の受信データシンボルからなる受信データブロックを得るＩＦＦＴ処理部と、
前記受信データブロックにおいてあらかじめ指定された第１の位置の受信データシンボルと、前記受信データブロックに続くあるいは先行する受信データブロックにおいてあらかじめ指定された第２の位置の受信データシンボルとを合成して、前記第１の受信データシンボルに代えて用いる合成受信データシンボルを得る合成部と、
を備えた受信機。
【請求項２７】
サイクリックプレフィクスまたはサイクリックポストフィクスが付加された、複数のデータシンボルからなるデータブロックの信号を受信する受信部と、
前記サイクリックプレフィクスまたはサイクリックポストフィクスが付加されたデータブロックからサイクリックプレフィクスまたはサイクリックポストフィクスを除去して前記データブロックを取り出す除去部と、
前記データブロックを高速フーリエ変換（Fast Fourier Transform: ＦＦＴ）処理して複数の周波数成分の信号に分解するＦＦＴ処理部と、
前記複数の周波数成分の信号に対して等化処理を行う等化処理部と、
等化処理された複数の周波数成分の信号をＩＦＦＴ処理して、複数の受信データシンボルからなる受信データブロックを得るＩＦＦＴ処理部と、
前記受信データシンボルからビットの尤度を表すビット尤度データを生成するビット尤度生成手段と、
前記受信データブロックにおいてあらかじめ指定された第３の位置の受信データシンボルから生成された第１のビット尤度データと、前記受信データブロックに続くあるいは先行する受信データブロックにおいてあらかじめ指定された第４の位置の受信データシンボルから生成された第２のビット尤度データとを合成して、前記第１のビット尤度データに代えて用いられる第３のビット尤度データを生成する合成部と、
を備えた受信機。
【手続補正２】
【補正対象書類名】明細書
【補正対象項目名】０００５
【補正方法】変更
【補正の内容】
【０００５】
本発明の第１の一態様としての送信機は
データシンボル列を入力する入力部と、
複数のデータシンボルからデータブロックを生成するブロック生成部と、
前記データブロックの末尾におけるｈ個（ｈは１以上の整数）のデータシンボルをサイクリックプレフィクスとして前記データブロックの先端に付加してサイクリックプレフィクス付きデータブロックを得る付加部と、
前記サイクリックプレフィクス付きデータブロックの信号を送信する送信部と、を備え、
第１の前記データブロックの末尾における前記ｈ個の前記データシンボルに先行するｋ個（ｋは１以上の整数）のデータシンボルは、前記第１のデータブロックに先行する第２のデータブロックの末尾におけるｋ個のデータシンボルのコピーである
ことを特徴とする。
【手続補正３】
【補正対象書類名】明細書
【補正対象項目名】０００６
【補正方法】変更
【補正の内容】
【０００６】
本発明の第２の態様としての送信機は
データシンボル列を入力する入力部と、
複数のデータシンボルからデータブロックを生成するブロック生成部と、
前記データブロックの先頭におけるｈ個（ｈは１以上の整数）のデータシンボルをサイクリックポストフィクスとして前記データブロックの末尾に付加してサイクリックポストフィクス付きデータブロックを得る付加部と、
前記サイクリックポストフィクス付きデータブロックの信号を送信する送信部と、を備え、
第１の前記データブロックの末尾におけるｋ（ｋは１以上の整数）個のデータシンボルは、前記第１のデータブロックに先行する第２のデータブロックの先頭における前記ｈ個のデータシンボルの末尾から先頭方向に向かってｋ個のデータシンボルのコピーである
ことを特徴とする。
【手続補正４】
【補正対象書類名】明細書
【補正対象項目名】０００７
【補正方法】変更
【補正の内容】
【０００７】
本発明の第３の態様としての送信機は
データシンボル列を入力する入力部と、
複数のデータシンボルからデータブロックを生成するブロック生成部と、
前記データブロックの末尾におけるｈ（ｈは１以上の整数）個のデータシンボルをサイクリックプレフィクスとして前記データブロックの先端に付加してサイクリックプレフィクス付きデータブロックを得る付加部と、
前記サイクリックプレフィクス付きデータブロックの信号を送信する送信部と、を備え、
第１の前記データブロックの末尾におけるｋ（ｋは１以上の整数）個のデータシンボルは、第１の前記データブロックに後続する第３のデータブロックの末尾における前記ｈ個のデータシンボルに先行するｋ個のデータシンボルのコピーである
ことを特徴とする。
【手続補正５】
【補正対象書類名】明細書
【補正対象項目名】０００８
【補正方法】変更
【補正の内容】
【０００８】
本発明の第４の態様としての送信機は
データシンボル列を入力する入力部と、
複数のデータシンボルからデータブロックを生成するブロック生成部と、
前記データブロックの先頭におけるｈ（ｈは１以上の整数）のデータシンボルをサイクリックポストフィクスとして前記データブロックの末尾に付加してサイクリックポストフィクス付きデータブロックを得る付加部と、
前記サイクリックポストフィクス付きデータブロックの信号を送信する送信部と、を備え、
第１の前記データブロックの先頭における前記ｈ個のデータシンボルの末尾から先頭方向に向かってｋ（ｋは１以上の整数）個のデータシンボルは、前記第１のデータブロックに後続する第２のデータブロックの末尾のｋ個のデータシンボルのコピーである
ことを特徴とする。
本発明の第５の一態様としての送信機は
データシンボル列を入力する入力部と、
前記データシンボル列を用いて、各々複数のデータシンボルを含む複数のデータブロックを生成し、前記複数のデータブロックの一部は、複数のパイロットシンボルを含むパイロットブロックである、ブロック生成部と、
前記データブロックの末尾におけるｈ個（ｈは１以上の整数）のデータシンボルのコピーをサイクリックプレフィクスとして前記データブロックの先端に付加してサイクリックプレフィクス付きデータブロックを得る付加部と、
前記サイクリックプレフィクス付きデータブロックの信号を送信する送信部と、を備え、
第１の前記データブロックの末尾における前記ｈ個の前記データシンボルに先行するｋ個（ｋは１以上の整数）のデータシンボルは、前記第１のデータブロックに先行する第２の前記データブロックの末尾における前記ｋ個のデータシンボルのコピーであり、
前記第１のデータブロックの末尾における前記ｋ個のデータシンボルは、前記第１のデータブロックに後続するパイロットブロックの末尾における前記ｈ個のパイロットシンボルに先行するｋ個のパイロットシンボルのコピーである
ことを特徴とする。
【手続補正６】
【補正対象書類名】明細書
【補正対象項目名】００３９
【補正方法】変更
【補正の内容】
【００３９】
図３（ｂ）はＣＰ付加部１３の出力を示す。実質的にＣＰサイズが２シンボルから５シンボルに拡張されていることが判る。より一般的には、データブロックサイズをＮ、ＣＰサイズをＮｃ、ＣＰを実質的に拡張するサイズ（拡張サイズ）をＮｅとすると、あるデータブロックのｎ番目（ｎは１以上Ｎ以下の整数）のデータシンボルは、ＣＰ付加部１３により付加されるサイクリックプレフィクスを除いて、ＭＡＸ（０，ＣＥＩＬ（（ｎ−Ｎ＋Ｎｅ）／Ｎｃ））＋１個の連続するデータブロックで送信されることになる。ただし、ＭＡＸ（ｘ，ｙ）は、ｘとｙのうち最大値を意味し、ＣＥＩＬ（ｘ）は、ｘ以上の最小の整数を意味する。